(57)【要約】  本体部２の開口面３ａを開閉する扉４ａと、回転体５６と、回転体５６に配される摺動子５９と、摺動子５９を案内するカム面６０ａとを備え、摺動子５９が始点Ｐｓと終点Ｐｅとの間を摺動して扉４ａを開く扉開放装置５０において、終点Ｐｅ上で、摺動子５９の移動方向Ｄ１に対してカム面６０ａの接線が傾斜し、摺動子５９が枢支軸４ｃから遠ざかる方向に回転する。
2018150603.tif 000002
【特許請求の範囲】
【請求項１】
開口面を有する本体部と、前記本体部に枢支軸で枢支して前記開口面を開閉する扉と、前記本体部に配して回転軸を中心に回転する回転体と、前記回転体に配される摺動子と、前記扉に配されるとともに前記摺動子を案内するカム面とを備え、前記摺動子が前記カム面上の始点と終点との間を摺動して前記扉を開く扉開放装置において、前記終点上で、前記摺動子の移動方向に対して前記カム面の接線が傾斜するとともに前記摺動子が前記枢支軸から遠ざかる方向に回転することを特徴とする扉開放装置。
【請求項２】
前記回転軸と前記終点の前記摺動子とを結ぶ直線と、前記枢支軸と前記終点の前記摺動子とを結ぶ直線と成す角度が直交または鈍角とすることを特徴とする請求項１に記載の扉開放装置。
【請求項３】
前記終点上で前記摺動子の移動方向に対する前記カム面の接線の傾斜角が４５゜以上であることを特徴とする請求項１または請求項２に記載の扉開放装置。
【請求項４】
前記本体部の前面に２つの前記扉が左右に並設されるとともに各前記扉の前記枢支軸が前記本体部の両側部にそれぞれ配され、一の前記回転体の正回転によって一方の前記扉が開かれるとともに逆回転によって他方の前記扉が開かれることを特徴とする請求項１〜請求項３のいずれかに記載の扉開放装置。
【請求項５】
前記扉の上下面の一方に前記カム面が配されるとともに凹部が凹設され、前記凹部は前記カム面よりも前方に配され、隣接する前記扉に面して開放されることを特徴とする請求項４に記載の扉開放装置。
【請求項６】
前記回転体上に複数の前記摺動子を設けたことを特徴とする請求項５に記載の扉開放装置。
【請求項７】
請求項１〜請求項６のいずれかに記載の扉開放装置を備え、前記本体部の上面に前記摺動子を配して前記扉の上面に前記カム面を配したことを特徴とする冷蔵庫。  
【発明の詳細な説明】
【技術分野】
【０００１】
本発明は枢支軸で枢支される扉を開く扉開放装置及びそれを用いた冷蔵庫に関する。
【背景技術】
【０００２】
扉開放装置を備えた従来の冷蔵庫は特許文献１に開示されている。この冷蔵庫は本体部及び扉を備える。本体部は発泡断熱材を充填した断熱箱体を有し、前面に開口面を有する。扉は発泡断熱材を充填され、本体部に枢支軸で枢支して開口面を開閉する。【０００３】
扉開放装置は本体部の上面に配される卵型の板カムと扉の上面に配されるピンとを備えている。板カムは垂直な回転軸を中心に回転し、ピンは板カムの周面のカム面に摺動する。【０００４】
上記冷蔵庫において、所定の操作が行われると板カムが回転し、カム面上の始点と終点との間でピンがカム面に摺動する。カム面上のピンとの摺動位置と板カムの回転中心との距離の増加に伴って扉が開かれる。カム面の終点でピンが板カムから離れると、扉が手動で開かれる。これにより、扉を開く際の負担を軽減することができる。
【先行技術文献】
【特許文献】
【０００５】
【特許文献１】特開２００１−３１７８６４号公報
【発明の概要】
【発明が解決しようとする課題】
【０００６】
しかしながら、上記従来の冷蔵庫によると、カム面の終点上でカム面の接線方向と板カムの回転方向とが一致する。このため、終点近傍で板カムの回転角度に対するピンの移動量が小さく、板カムがピンから離れる際に扉を勢いよく押し出すことができない。従って、扉を手動で開く範囲が大きくなり、利便性が悪い問題があった。【０００７】
本発明は、利便性を向上できる扉開放装置及びそれを用いた冷蔵庫を提供することを目的とする。
【課題を解決するための手段】
【０００８】
上記目的を達成するために本発明の扉開放装置は、開口面を有する本体部と、前記本体部に枢支軸で枢支して前記開口面を開閉する扉と、前記本体部に配して回転軸を中心に回転する回転体と、前記回転体に配される摺動子と、前記扉に配されるとともに前記摺動子を案内するカム面とを備え、前記摺動子が前記カム面上の始点と終点との間を摺動して前記扉を開く扉開放装置において、前記終点上で、前記摺動子の移動方向に対して前記カム面の接線が傾斜するとともに前記摺動子が前記枢支軸から遠ざかる方向に回転することを特徴とする。【０００９】
また本発明は、上記構成の扉開放装置において、前記回転軸と前記終点の前記摺動子とを結ぶ直線と、前記枢支軸と前記終点の前記摺動子とを結ぶ直線と成す角度が直交または鈍角とすることを特徴とする。【００１０】
また本発明は、上記構成の扉開放装置において、前記終点上で前記摺動子の移動方向に対する前記カム面の接線の傾斜角が４５゜以上であることを特徴とする。【００１１】
また本発明は、上記構成の扉開放装置において、前記摺動子が等速回転することを特徴とする。【００１２】
また本発明は、上記構成の扉開放装置において、前記本体部の前面に２つの前記扉が左右に並設されるとともに各前記扉の前記枢支軸が前記本体部の両側部にそれぞれ配され、一の前記回転体の正回転によって一方の前記扉が開かれるとともに逆回転によって他方の前記扉が開かれることを特徴とする。【００１３】
また本発明は、上記構成の扉開放装置において、前記扉の上下面の一方に前記カム面が配されるとともに凹部が凹設され、前記凹部は前記カム面よりも前方に配され、隣接する前記扉に面して開放されることを特徴とする。【００１４】
また本発明は、上記構成の扉開放装置において、前記回転体上に複数の前記摺動子を設けたことを特徴とする。【００１５】
また本発明の冷蔵庫は、上記各構成の扉開放装置を備え、前記本体部の上面に前記摺動子を配して前記扉の上面に前記カム面を配したことを特徴とする。
【発明の効果】
【００１６】
本発明によると、カム面の終点上で摺動子の移動方向に対してカム面の接線が傾斜するとともに摺動子が枢支軸から遠ざかる方向に回転する。これにより、扉が勢いよく押し出され、扉を手動で開く範囲を小さくすることができる。従って、扉開閉機構及び冷蔵庫の利便性を向上することができる。
【図面の簡単な説明】
【００１７】
【図１】本発明の第１実施形態の冷蔵庫を示す正面図
【図２】本発明の第１実施形態の冷蔵庫の扉の閉止状態を示す上面図
【図３】本発明の第１実施形態の冷蔵庫の扉を開く動作を説明する上面図
【図４】本発明の第１実施形態の冷蔵庫の扉を開く動作を説明する上面図
【図５】本発明の第１実施形態の冷蔵庫の扉を開く動作を説明する上面図
【図６】本発明の第１実施形態の冷蔵庫の扉の終点近傍の状態を説明する上面図
【図７】比較例の冷蔵庫の扉の終点近傍の状態を説明する上面図
【図８】本発明の第２実施形態の冷蔵庫の扉の閉止状態を示す上面図
【図９】本発明の第３実施形態の冷蔵庫の扉の閉止状態を示す上面図
【図１０】本発明の第３実施形態の冷蔵庫の扉の開く動作を説明する上面図
【図１１】本発明の第３実施形態の冷蔵庫の扉の開く動作を説明する上面図
【図１２】本発明の第４実施形態の冷蔵庫の閉止状態を示す上面図
【発明を実施するための形態】
【００１８】
＜第１実施形態＞
以下に図面を参照して本発明の実施形態を説明する。図１は第１実施形態の冷蔵庫１を示す正面図である。冷蔵庫１は断熱箱体から成る本体部２の上方から順に冷蔵室３、冷凍室５、野菜室７が形成される。
【００１９】
冷蔵室３の前面には扉４ａ及び扉４ｂが左右に並設される。扉４ａ及び扉４ｂは本体部２の両側部に配される鉛直な枢支軸４ｃ及び枢支軸４ｄでそれぞれ枢支され、冷蔵室３の前面の開口面３ａ（図２参照）を開閉する。冷凍室５の前面の開口面はスライド式の扉６により開閉される。野菜室７の前面の開口面はスライド式の扉８により開閉される。
【００２０】
各扉４ａ、扉４ｂ、扉６、扉８の背面の周部には冷気漏れを防止するパッキン（不図示）が設けられる。パッキンには本体部２の前面に吸着するマグネット（不図示）が設けられる。
【００２１】
図２は冷蔵庫１の上面図を示している。本体部２及び扉４ａの上面には扉４ａを開く扉開放装置５０が設けられる。同様に、本体部２及び扉４ｂの上面には扉４ｂを開く扉開放装置５０が設けられる。扉開放装置５０は駆動部５８及び案内部６０を備えている。
【００２２】
駆動部５８は本体部２の上面に取り付けられた支持部材５１上に設置される。駆動部５８はモータ５２、ウォーム５３、ウォームホイール５４、減速ギア５５、減速ギア５６（回転体）を有している。ウォーム５３はモータ５２のシャフトに取り付けられ、ウォームホイール５４に噛合する。減速ギア５５はウォームホイール５４と同心に取り付けられる。減速ギア５６は減速ギア５５に噛合する。減速ギア５６には下方に突出する摺動子５９が設けられる。
【００２３】
減速ギア５６の回転軸５６ａ（図６参照）は摺動子５９の回転中心を形成し、枢支軸４ｃ及び枢支軸４ｄよりも後方に配される。
【００２４】
案内部６０は扉４ａ及び扉４ｂの上面に設けられ、摺動子５９を摺動案内する曲面状のカム面６０ａを有する。摺動子５９はカム面６０ａ上の始点Ｐｓと終点Ｐｅとの間を摺動して扉４ａ及び扉４ｂを開く。
【００２５】
次に、扉開放装置５０により左方の扉４ａを開く動作を図２〜図５に基づいて説明する。図２に示す扉４ａの閉止状態で所定の操作ボタンが操作されると、駆動部５８によって摺動子５９が等速回転する。この時、摺動子５９の回転方向Ｂ１は前方で枢支軸４ｃから離れる方向（図中、反時計回り）になっている。
【００２６】
摺動子５９が所定角度（例えば、４５゜）回転してカム面６０ａ上の始点Ｐｓに当接すると、摺動子５９とカム面６０ａとの摺動が開始される。このため、扉４ａの閉止状態から始点Ｐｓに当接するまで摺動子５９が空転する空転期間が設けられる。空転期間により、パッキンの吸着力によって扉４ａを開く際の負荷が大きい開成動作の開始より前にモータ５２のトルクを安定させることができる。
【００２７】
また、扉４ａの閉止時に始点Ｐｓは枢支軸４ｃと減速ギア５６の回転軸５６ａ（図６参照）とを結ぶ直線よりも摺動子５９の移動方向前方に配される。これにより、案内部６０を扉４ａよりも後方に突出させず、扉４ａの上面に確実に配置できる。このため、案内部６０が本体部２の上方に延在することによる案内部６０の強度低下及び扉４ａの意匠性低下を防止することができる。
【００２８】
摺動子５９がカム面６０ａの始点Ｐｓから更に回転すると図４に示すように、扉４ａが開かれる。図５に示すように摺動子５９はカム面６０ａの終点Ｐｅに到達してカム面６０ａから離れる。その後、扉４ａは摺動子５９がカム面６０ａから離れたときの付勢力によってさらに大きく開かれる。従って、扉４ａを開く際の負担を軽減することができる。
【００２９】
カム面６０ａの終点Ｐｅは扉４ａの背面に近設される。これにより、摺動子５９が終点Ｐｅに配された際に扉４ａをより前方に配置することができる。また、終点Ｐｅ上で摺動子５９の移動方向Ｄ１は摺動子５９と枢支軸４ｃとを結ぶ直線Ｌ２（図６参照）上に配される。即ち、減速ギア５６の回転軸５６ａと終点Ｐｅの摺動子５９とを結ぶ直線Ｌ１（図６参照）と、枢支軸４ｃと終点Ｐｅの摺動子５９とを結ぶ直線Ｌ２（図６参照）とが直交する。これにより、摺動子５９が終点Ｐｅに配された際に扉４ａを更に前方に配置することができる。
【００３０】
なお、直線Ｌ１と直線Ｌ２とは、直交よりも若干鈍角となる角度としてもよい。例えば直線Ｌ１と直線Ｌ２との成す角度を９０゜から９５゜にしてもよい。この場合、摺動子５９が終点Ｐｅに配された際の扉４ａの開放する角度が直交時に比べて若干小さくなって、直交時よりも早期に摺動子５９を開放する。これにより、案内部６０と減速ギア５６との製造上の公差や長期使用時の扉４ａのずれによって、摺動子５９の開放の遅延を防ぐことができる。即ち、摺動子５９が直線Ｌ１と直線Ｌ２と直交する角度を超えてカム面６０ａと摺動し続けることを防止できる。
【００３１】
また、終点Ｐｅ上で摺動子５９の移動方向Ｄ１に対してカム面６０ａの接線が傾斜角度θ（図６参照）で傾斜する。このため、回転する摺動子５９により扉４ａを勢いよく押し出すことができる。傾斜角度θを４５゜以上にすると押し出される扉４ａの角速度を大きくできるため望ましく、７０゜以上にするとより望ましい。
【００３２】
また、終点Ｐｅ上で摺動子５９は枢支軸４ｃから離れる方向に回転しており、後述するように扉４ａを更に勢いよく押し出す。
【００３３】
扉４ｂは摺動子５９が回転方向Ｂ２（図中、時計回り）に回転して同様に開かれる。
【００３４】
図６は摺動子５９が終点Ｐｅ近傍に配された状態を説明する上面図を示している。図７は比較例の扉開放装置５０の摺動子５９が終点Ｐｅ近傍に配された状態を説明する上面図を示している。比較例は摺動子５９の回転方向Ｂ１’及び終点Ｐｅのカム面６０ａの傾斜方向が本実施形態と逆方向になっている。図６、図７において、カム面６０ａは終点Ｐｅ近傍のみを記載している。
【００３５】
図６及び図７は終点Ｐｅ上のカム面６０ａの傾斜角度θを同じにしている。摺動子５９は終点Ｐｅに配される状態から扉４ａを微小な角度βだけ閉じた状態の時に終点Ｐｅ近傍の点Ｐｎに配される。
【００３６】
扉４ａの枢支軸４ｃは回転軸５６ａよりも左方に配される。摺動子５９が点Ｐｎから終点Ｐｅに移動することで扉４ａは開放方向（図中、時計回り）に回動する。扉４ａの移動角度が微小な角度βであるため、点Ｐｎと終点Ｐｅとの間でカム面６０ａが平面と考えることができ、カム面６０ａも角度β分だけ、時計回りに回転する。このため、図６の点Ｐｎ上の摺動子５９にて当接するカム面６０ａは終点Ｐｅにて当接するカム面６０ａよりも、直線Ｌ２に対する傾斜角度が大きくなる。これに対して、図７の点Ｐｎ上の摺動子５９にて当接するカム面６０ａは終点Ｐｅにて当接するカム面６０ａよりも、直線Ｌ２に対する傾斜角度が小さくなる。したがって、図６の点Ｐｎ上の摺動子５９の移動方向Ｄ２とカム面６０ａの接線との角度γが図７の角度γ’よりも大きい。このため、本実施形態は比較例よりも摺動子５９の単位時間の回転に対して扉４ａを前方に導く距離が大きい。
【００３７】
これにより、本実施形態の終点Ｐｅ上の摺動子５９と点Ｐｎ上の摺動子５９との中心角αは比較例の中心角α’よりも小さい。即ち、等速回転する摺動子５９が終点Ｐｅ近傍で比較例よりも短時間で扉４ａを角度βだけ回転させることができ、扉４ａの角速度が大きくなる。従って、終点Ｐｅで摺動子５９が枢支軸４ｃから離れる方向に回転することにより、近づく方向に回転するよりも扉４ａを勢いよく押し出すことができる。
【００３８】
本実施形態によると、カム面６０ａの終点Ｐｅ上で摺動子５９の移動方向Ｄ１に対してカム面６０ａの接線が傾斜するので、回転する摺動子５９により扉４ａを勢いよく押し出すことができる。また、終点Ｐｅで摺動子５９が枢支軸４ｃから遠ざかる方向に回転するので、終点Ｐｅ近傍で扉４ａの角速度を大きくすることができ、扉４ａがより勢いよく押し出される。このため、扉４ａをこの勢いでより大きく開くができ、扉開放装置５０及び冷蔵庫１の利便性を向上することができる。
【００３９】
また、回転軸５６ａと終点Ｐｅの摺動子５９とを結ぶ直線Ｌ１と、枢支軸４ｃと終点Ｐｅの摺動子５９とを結ぶ直線Ｌ２とが直交する。このため、摺動子５９が終点Ｐｅに配された際に扉４ａを前方に配置することができ、扉４ａの開放する付勢範囲をより小さくできる。
【００４０】
また、本体部２の上面に摺動子５９を配して扉４ａの上面にカム面６０ａを配したので、利便性を向上できる冷蔵庫１を容易に実現できる。
【００４１】
＜第２実施形態＞
次に、図８は第２実施形態の冷蔵庫１の上面図を示している。説明の便宜上、前述の図１〜図６に示す第１実施形態と同様の部分には同一の符号を付している。本実施形態は一の駆動部５８により扉４ａ及び扉４ｂを開く点が第１実施形態と異なっている。その他の部分は第１実施形態と同様である。
【００４２】
本体部２の上面には一の駆動部５８が配され、減速ギア５５、減速ギア５６、ウォームホイール５４が左右一対で設けられる。ウォーム５３はモータ５２のシャフトに取り付けられて中間ギア５７に噛合する。中間ギア５７は２つのウォームホイール５４に噛合する。
【００４３】
上記構成の冷蔵庫１において、扉４ａを開く際に、ウォーム５３の回転により中間ギア５７が回転方向Ｂ１と同方向で回転し、図中左側の減速ギア５６が回転方向Ｂ１で回転する。これにより、摺動子５９が扉４ａのカム面６０ａに摺動し、摺動子５９が終点Ｐｅでカム面６０ａから離れて扉４ａが開かれる。一方、扉４ｂを開く際には、ウォーム５３が扉４ａを開く際とは反対方向に回転し、中間ギア５７が回転方向Ｂ２と同方向で回転して、図中右側の減速ギア５６が回転方向Ｂ２で回転する。これにより、摺動子５９が扉４ｂのカム面６０ａに摺動し、摺動子５９が終点Ｐｅでカム面６０ａから離れて扉４ｂが開かれる。このように、モータ５２の回転方向を変えることで、扉４ａと扉４ｂの一方を択一的に開放することができる。
【００４４】
本実施形態によると、第１実施形態と同様の効果を奏することができる。また、左右に並設した扉４ａ及び扉４ｂが一のモータ５２により、扉４ａ、扉４ｂが開かれる。これにより、駆動部５８を共通化して扉開放装置５０及び冷蔵庫１のコストを削減できる。
【００４５】
＜第３実施形態＞
次に、図９は第３実施形態の冷蔵庫１の上面図を示している。説明の便宜上、前述の図１〜図６に示す第１実施形態と同様の部分には同一の符号を付している。本実施形態は一の駆動部５８により扉４ａ及び扉４ｂを開く点が第１実施形態と異なっている。その他の部分は第１実施形態と同様である。
【００４６】
本体部２の上面には一の駆動部５８が配され、減速ギア５６の回転軸５６ａは扉４ａと扉４ｂとの略境界線上の後方に配される。減速ギア５６には摺動子５９ａ及び摺動子５９ｂが設けられる。摺動子５９ａ、摺動子５９ｂは減速ギア５６から下方に突出して設けられ、回転軸５６ａを挟んで対向している。また、減速ギア５６は回転方向Ｂ１の正回転と回転方向Ｂ２の逆回転とに切り替え可能になっている。
【００４７】
扉４ａ及び扉４ｂの上面にはそれぞれ案内部６０が設けられる。案内部６０は摺動子５９を摺動案内する曲面状のカム面６０ａを有する。摺動子５９がカム面６０ａの終点Ｐｅに到達してカム面６０ａから離れ、扉４ａが開放方向に付勢される。
【００４８】
カム面６０ａの終点Ｐｅは扉４ａの背面に近設される。これにより、摺動子５９が終点Ｐｅに配された際に扉４ａをより前方に配置することができる。また、減速ギア５６の回転軸５６ａと終点Ｐｅの摺動子５９とを結ぶ直線Ｌ１と、枢支軸４ｃと終点Ｐｅの摺動子５９とを結ぶ直線Ｌ２とは、直交または若干鈍角となるように終点Ｐｅを構成している。
【００４９】
さらに、終点Ｐｅが枢支軸４ｃよりも前方となるようにする。また、扉４ａ及び扉４ｂの上面の案内部６０にはそれぞれ上方を開放した凹部６５ａ及び凹部６５ｂが凹設される。凹部６５ａ及び凹部６５ｂはカム面６０ａよりも前方に配される。また、凹部６５ａは隣接する扉４ｂに面して側方を開放され、凹部６５ｂは隣接する扉４ａに面して側方を開放される。
【００５０】
上記構成の冷蔵庫１において、扉４ａを開く際に減速ギア５６が回転方向Ｂ１で回転する。これにより、摺動子５９ａが扉４ａのカム面６０ａに摺動し、図９に示すように摺動子５９が終点Ｐｅでカム面６０ａから離れて扉４ａが開かれる。この時、終点Ｐｅ上で摺動子５９ａの移動方向に対してカム面６０ａの接線が傾斜し、摺動子５９ａが枢支軸４ｃから遠ざかる方向に回転する。これにより、扉４ａを勢いよく押し出すことができる。
【００５１】
また、摺動子５９ａが終点Ｐｅを通過した直後にモータ５２を急停止することが困難である。このため、図１０に示すように、終点Ｐｅが枢支軸４ｃよりも前方としている。これにより、直線Ｌ１と直線Ｌ２とが略直交する位置に終点Ｐｅを設定した場合に、終点Ｐｅを扉４ａと扉４ｂとの略境界線上よりも枢支軸４ｃ側に寄った位置とすることができる。このため、摺動子５９ａが終点Ｐｅを通過した直後に隣接する扉４ｂに設けられた案内部６０に衝突することを抑制できる。
【００５２】
また、凹部６５ａ及び凹部６５ｂを設けることにより、図１１に示すように、摺動子５９ａは終点Ｐｅを通過して停止するまでの間に隣接する扉４ｂに設けた側面及び上面を開放する凹部６５ｂに進入する。これにより、摺動子５９ａと扉４ｂとの衝突を防止することができる。
【００５３】
摺動子５９ａは停止すると逆回転して回転方向Ｂ２で回転し、扉開放前の位置に配される。
【００５４】
また、扉４ｂを開く際も同様に減速ギア５６が回転方向Ｂ２で回転し、摺動子５９ｂが扉４ｂのカム面６０ａに摺動する。これにより、扉４ｂが開かれ、終点Ｐｅを通過した摺動子５９ｂは隣接する扉４ａに設けた凹部６５ａに進入し、摺動子５９ｂと扉４ａとの衝突が防止される。なお、凹部６５ａ、凹部６５ｂの後壁に緩衝部材を設けてもよい。
【００５５】
本実施形態によると、第１実施形態と同様の効果を奏することができる。また、左右に並設した扉４ａ及び扉４ｂが一の減速ギア５６（回転体）に設けた摺動子５９ａ及び摺動子５９ｂによりそれぞれ開かれる。これにより、駆動部５８を共通化して扉開放装置５０及び冷蔵庫１のコストを削減できる。
【００５６】
また、扉４ａ及び扉４ｂの上面に凹設した凹部６５ａ及び凹部６５ｂがカム面６０ａよりも前方に配され、隣接する扉４ｂ、扉４ａに面して開放される。これにより、摺動子５９ａと扉４ｂとの衝突が防止され、摺動子５９ｂと扉４ａとの衝突が防止される。
【００５７】
また、減速ギア５６上に複数の摺動子５９ａ及び摺動子５９ｂを設けている。一の摺動子により扉４ａ及び扉４ｂを開いてもよい。この場合、扉４ａ及び扉４ｂのいずれも迅速に開くために摺動子は扉開放前の待機状態で開口面３ａから最も離れた位置に配置される。
【００５８】
これに対して、本実施形態のように摺動子５９ａ及び摺動子５９ｂを設けると、摺動子５９ａ及び摺動子５９ｂを開口面３ａに近づけることができる。このため、摺動子５９ａ及び摺動子５９ｂがカム面６０ａに当接するまでの時間を短縮することができ、扉４ａ及び扉４ｂをより迅速に開くことができる。従って、冷蔵庫１の利便性をより向上できる。
【００５９】
＜第４実施形態＞
次に、図１２は第４実施形態の冷蔵庫１の上面図を示している。説明の便宜上、前述の図１〜図６に示す第１実施形態と同様の部分には同一の符号を付している。本実施形態は一方の扉４ｂ（図２参照）及びそれに対応する扉開放装置５０が省かれている点が第１実施形態と異なっている。その他の部分は第１実施形態と同様である。
【００６０】
本実施形態によると、第１実施形態と同様の効果を奏することができる。
【００６１】
第１〜第４実施形態において、本体部２に枢支される扉４ａ、扉４ｂが本体部２の下部を開閉する場合は、本体部２の下面及び扉の下面に扉開放装置５０を配置してもよい。
【産業上の利用可能性】
【００６２】
本発明によると、扉を開放する扉開放装置を備えた冷蔵庫に利用することができる。
【符号の説明】
【００６３】
１      冷蔵庫
２      本体部
３      冷蔵室
３ａ    開口面
４ａ、４ｂ、６、８  扉
４ｃ、４ｄ  枢支軸
５      冷凍室
７      野菜室
５０      扉開放装置
５１      支持部材
５２      モータ
５３      ウォーム
５４      ウォームホイール
５５      減速ギア
５６      減速ギア
５６      回転体
５６ａ    回転軸
５７      中間ギア
５８      駆動部
５９、５９ａ、５９ｂ  摺動子
６０      案内部
６０ａ    カム面
６５ａ、６５ｂ  凹部
Ｂ１、Ｂ２  回転方向
Ｄ１、Ｄ２、Ｄ３  移動方向
Ｌ１、Ｌ２  直線
Ｐｅ      終点
Ｐｎ      点
Ｐｓ      始点
α      中心角
β、γ  角度
θ      傾斜角度
【図１】
2018150603.tif 000003
【図２】
2018150603.tif 000004
【図３】
2018150603.tif 000005
【図４】
2018150603.tif 000006
【図５】
2018150603.tif 000007
【図６】
2018150603.tif 000008
【図７】
2018150603.tif 000009
【図８】
2018150603.tif 000010
【図９】
2018150603.tif 000011
【図１０】
2018150603.tif 000012
【図１１】
2018150603.tif 000013
【図１２】
2018150603.tif 000014
【国際調査報告】
2018150603.tif 000015
2018150603.tif 000016
2018150603.tif 000017
2018150603.tif 000018